(57)【特許請求の範囲】
【請求項１】
播種箱の搬送通路（１）上方に、繰出しロール（２）をその回転軸芯を搬送通路（１）方向と直交横架し、該繰出しロール（２）の背面側に湾曲状のガイド体（３）を接触させて繰出し粒を下方に案内し搬送通路（１）上の播種箱に播種するもので、前記ガイド体（３）の下端部から繰出しロール（２）の回転方向下手側に、繰出しロール（２）の回転軸芯と平行にして該繰出しロール（２）の周面に接触するロ−ル状回転ブラシ（４）(５)を複数個設けたことを特徴とする播種機の種籾繰出し助長装置。
【請求項２】
複数個設けた回転ブラシ（４）（５）の周速度を異にしてあることを特徴とする請求項1．記載の播種機の種籾繰出し助長装置。
【請求項３】
複数個の回転ブラシ（４）（５）の回転方向を異にしたことを特徴とする請求項１．記載の播種機の種籾繰出し助長装置。
【請求項４】
複数個の回転ブラシ（４）（５）の周速度と回転方向とを異にしてあることを特徴とする請求項１．記載の播種機の種籾繰出し助長装置。
【発明の詳細な説明】
【０００１】
【発明の属する技術分野】
本発明は、搬送通路の上方に、繰出しロールをその繰出しロールの回転軸芯を搬送通路方向と直交横架し、該繰出しロ−ルの背面側に湾曲状のガイド体を接触させて繰出し粒を下方に案内し搬送通路上の播種箱に播種する播種機の種籾繰出し助長装置に関するものである。
【０００２】
【従来の技術】
従来、上記のような構成にした播種機は、搬送通路上の播種箱への床土入れから始まって灌水から覆土までの一連の作業を行う播種施設の播種部分を担当していて、例えば、実公平３−３３２２３号公報等によって公告されているところである。
【０００３】
【発明が解決しようとする課題】
しかし、この同公報に記載されている播種機の種籾繰出し助長装置なるものは、繰出しロールの周面にその回転軸芯と交差する環状溝が多数形成され、この環状溝内にフオーク状の除去刀の刃部を差し込んで、繰出しロールと共に回転しようとする種籾を落下させ繰出ロールによる繰出しを助長するようにしているから、その繰出し助長装置なるものは構成が煩雑になって部品点数が増加しコスト高になるなどの欠点がある。
【０００４】
【課題を解決するための手段】
そこで、この発明によるものは、播種箱の搬送通路（１）上方に、繰出しロ−ル（２）をその回転軸芯を搬送通路（１）方向と直交横架し、該繰出しロ−ル（２）の背面側に湾曲状のガイド体（３）を接触させて繰出し粒を下方に案内し搬送通路（１）上の播種箱に播種するもので、前記ガイド体（３）の下端部から繰出しロ−ル（２）の回転方向下手側に、繰出しロ−ル（２）の回転軸芯と平行にして該繰出しロ−ル（２）の周面に接触するロ−ル状回転ブラシ（４）(５)を複数個設けた。これにより、かき落とし作用を反復させてその作用が向上し、繰出しを助長するものが簡潔な構成で安価に提供できる。
【０００５】
そして、複数個設けた回転ブラシの周速度を異にすると、種籾への各回転ブラシの当たりが変動して、かき落とし作用を有効にするのである。
【０００６】
また、複数個の回転ブラシの回転方向を異にすれば、繰出しロ−ルの周面にはまっている種籾に対して正方向と逆方向とから回転ブラシが当たってかき落としがよくなる。
【０００７】
更に、複数個の回転ブラシの周速度と回転方向とを異にすると、各回転ブラシのかき落とし作用が複合しかき落としを一層有効化するのである。
【０００８】
【発明の実施の形態】
【実施例】
以下、本発明による装置に関して図面を参照し具体的に説明する。そこで、先ず、図１〜図５に示す参考例のものについて記載すると、（１）は搬送ベルトや多数のロ−ルを連鎖状に設けてなる搬送通路で、この搬送通路（１）上に播種箱が載置されて所定の速度で矢印（イ）方向に搬送されるようになっている。
【０００９】
（６）は種籾（Ｐ）の供給ホッパ−で、下部に供給口（７）を開口し、（２）は供給ホッパ−（６）と搬送通路（１）との間に横架した繰出しロ−ルで、この繰出しロ−ル（２）はその回転軸芯を前記搬送通路（１）方向と直交させ、周面には回転軸芯方向と平行に線条の繰出し溝（８）を多数形成したもので、機体の一側においてモ−タプ−リ（９）からベルト（１０）により矢印（ロ）方向に所定の回転速度で回転し、その回転する繰出しロ−ル（２）の下回り側、即ち、背面側には湾曲状のガイド体（３）を接触させて、前記供給口（７）からの種籾（Ｐ）は繰出し溝（８）にはまりガイド体（３）により下方に案内されて落下し搬送通路（１）上の播種箱に播種されるようになり、前記供給口（７）から繰出されるもののうち過剰粒は板状のブラシ（１１）によって堰止されるとともに、機体他側のモ−タプ−リ（１２）からベルト（１３）により矢印（ハ）方向に回動する大形回動ブラシ（１４）によって戻されるようになっている。
【００１０】
なお、線条の繰出し溝（８）は、図３のように周面から回転軸芯に向かうかき出し面（１５）とこのかき出し面（１５）に対面する取込み面（１６）とのなす角度（α）を約４５度にして繰出し溝（８）へのはまり込みをよくしてある。
【００１１】
（４）はロ−ル状の回転ブラシであって、繰出しロ−ル（２）の回転軸芯と平行にして前記ガイド体（３）の終端部、即ち、下端部から繰出しロ−ル（２）の（ロ）方向に回転する回転方向下手側において繰出しロ−ル（２）の周面に接触させてあって、その回転ブラシ（４）は図５のように、螺旋状にするとともに隣り合うブラシ間隔（Ｌ）を繰出される種籾（Ｐ）の粒形より大きいものにしてある。
【００１２】
また、前記回転ブラシ（４）は繰出しロ−ル（２）がわからベルト（１７）により伝動されて矢印（ニ）方向に回転し、繰出しロ−ル（２）と回転ブラシ（４）の接触面を同方向に回転させ、かつ、それらの周速度が同一になるように設定してある。
【００１３】
これによって、ガイド体（３）の下端部から落下せずに繰出しロ−ル（２）の繰出し溝（８）にはまったまま回転する種籾（Ｐ）は、螺旋状でそのブラシ間隔（Ｌ）が種籾（Ｐ）の粒形より大きくしてある回転ブラシ（４）によって種籾（Ｐ）がブラシ間隔（Ｌ）にはさまることなく強制的にかき落とされて原形に復し、再度供給口（７）から供給されるものを繰出すようになる。
【００１４】
また、この回転ブラシ（４）は（ニ）の方向に回転し繰出しロ−ル（２）は（ロ）のように回転して、それらの接触面は同方向となり、その周速度も同じであることから、かき落とし作用が効果的に行われるのである。
【００１５】
次に、図６〜図９に示す本発明手段のものについて記載すると、この手段は、前記ガイド体（３）の下端部から（ロ）方向に回転する繰出しロ−ル（２）の回転方向下手側に２個のロ−ル状回転ブラシ（４）と（５）を間隔をあけて設けたもので、複数個の回転ブラシ（４）（５）によって繰出し溝（８）にはまっている種籾（Ｐ）のかき落としを反復させるようにしたものである。
【００１６】
即ち、図６に示すものは、その回転ブラシ（４）と（５）を繰出ロ−ル（２）側からベルト（１７）によって伝動し、繰出しロ−ル（２）と周速度を同じにするとともに、回転方向も（ニ）と（ホ）のように同一の方向にして、かき落とし作用を繰り返し行うようにしている。
【００１７】
また、図７のものは、前記の２つの回転ブラシ（４）（５）のうち、回転ブラシ（４）より下手側に設けた回転ブラシ（５）の入力プ−リ（１８）径を大にして回転速度を遅くすることにより回転ブラシ（４）と（５）の周速度を異にし回転方向は同じ（ニ）（ホ）の方向にしたもので、周速度の違いによって繰出し溝（８）にはまっているものへの当たりが変ってかき落としが有効になる。
【００１８】
そして、図８に示すものは、ベルト（１７）の掛け方を変えて回転ブラシ（５）の回転方向を（ヘ）のようにして（ニ）の方向に回転する回転ブラシ（４）と回転方向を異にし周速度は同じにしたもので、回転ブラシ（４）と（５）の回転方向を違えることにより、はまっている種籾（Ｐ）に対して正逆双方から回転ブラシ（４）（５）が作用しかき落としが向上する。
【００１９】
更に、図９のものは、２つの回転ブラシ（４）と（５）の周速度と回転方向とを異にしたものを示し、このことによって、回転ブラシ（４）と回転ブラシ（５）のかき落とし作用が複合するようになってかき落としが一層有効に行われる。
【００２０】
なお、図６〜図９に示す本発明手段のものの、その他の構成については参考例におけるものと同じであるから同一の符号を付して説明を省略することにする。また、本発明手段、つまり、図６〜図９中に示した回転ブラシ（４）（５）は図５のように螺旋状のものに限定するものではない。
【００２１】
【発明の効果】
本発明は、以上説明したような形態で実施され、次に記載するような効果を奏する。
【００２２】
即ち、播種箱の搬送通路上方に、繰出しロールをその回転軸芯を搬送通路方向と直交横架し、該繰出しロ−ルの背面側に湾曲状のガイド体を接触させて繰出し粒を下方に案内し搬送通路上の播種箱に播種するもので、前記ガイド体の下端部から繰出しロ−ルの回転方向下手側に、繰出しロ−ルの回転軸芯と平行にして該繰出しロ−ルの周面に接触するロ−ル状回転ブラシを複数個設けたから、かき落とし作用を反復させてその作用が向上し、繰出しを助長するものが簡潔な構成で安価に提供できる。
【００２３】
そして、複数個設けた回転ブラシの周速度を異にすることによって、種籾への各回転ブラシの当たりが変動して、かき落とし作用を有効にすることができる。
【００２４】
また、複数個の回転ブラシの回転方向を異にすることにより、繰出しロ−ルの周面にはまっている種籾に対して正方向と逆方向とから回転ブラシが当たってかき落とし作用が向上する。
【００２５】
更に、複数個の回転ブラシの周速度と回転方向とを異にしたので、各回転ブラシのかき落とし作用が複合しかき落としを一層有効化することができる。
【図面の簡単な説明】
【図１】  参考例手段のものの播種機の縦断側面図である。
【図２】  同手段における繰出しロ−ルの抽出斜視図である。
【図３】  同手段における繰出し溝の形状を示す図である。
【図４】  同手段の回転ブラシの抽出側面図である。
【図５】  同回転ブラシを断面して示す図である。
【図６】  本発明手段のものを示す播種機の縦断側面図である。
【図７】  回転ブラシの周速度を異にしたものを示す側面図である。
【図８】  同回転ブラシの回転方向を異にしたものを示す側面図である。
【図９】  同回転ブラシの周速度と回転方向を異にしたものを示す側面図である。
【符号の説明】
１  搬送通路
２  繰出しロール
３  ガイド体
４  回転ブラシ
５  回転ブラシ
Ｌ  ブラシ間隔
Ｐ   種籾
【図１】
0003827432.tif 000002
【図２】
0003827432.tif 000003
【図３】
0003827432.tif 000004
【図４】
0003827432.tif 000005
【図５】
0003827432.tif 000006
【図６】
0003827432.tif 000007
【図７】
0003827432.tif 000008
【図８】
0003827432.tif 000009
【図９】
0003827432.tif 000010